(57)【要約】【課題】  送信側が複数の画像データを添付して送信した場合には、自分が一番見たい画像、あるいは送信者が一番見せたい画像を見るためには、受信側で受信したすべての画像データを画像ビューアなどで開いた上で確認しなければならず、操作に時間がかかってしまっていた。【解決手段】  画像データを添付したメール送信において、複数の画像データが選択された場合に、受信先で代表画像として表示させたい画像データを送信時に指定するための手段を設け、受信側では送信された画像データのうち代表画像として指定された画像データを表示するような制御を行うことで、操作性の良いメール送受信システムを提供するものである。【選択図】        図４
2006277236.tif 000002
【特許請求の範囲】
【請求項１】
一つまたは複数の画像データを添付してメール送信が可能であり、添付した画像のうち代表画像を一つまたは複数指定する手段と、指定した代表画像を表わすための情報をメールデータに組み込んでメール送信する手段と、画像データが添付されたメールの受信が可能で、添付された画像データのうち代表画像に指定された画像データに対するサムネイル画像を作成する手段と、受信メールボックス一覧表示の際に、作成されたサムネイル画像データを同時に表示する手段とを有することを特徴とするメール送受信システム。
【請求項２】
一つまたは複数の画像データを添付してメール送信が可能であり、添付した画像のうち代表画像として指定するための条件を設定する手段と、設定した条件を満たす画像データを代表画像として自動的に指定する手段と、指定した代表画像を表わすための情報をメールデータに組み込んでメール送信する手段と、画像データが添付されたメールの受信が可能で、添付された画像データのうち代表画像に指定された画像データに対するサムネイル画像を作成する手段と、受信メールボックス一覧表示の際に、作成されたサムネイル画像データを同時に表示する手段とを有することを特徴とするメール送受信システム。
【請求項３】
一つまたは複数の画像データを添付してメール送信が可能であり、添付した画像のうち代表画像として指定するための条件を設定する手段と、設定した条件を表わすための情報をメールデータに組み込んでメール送信する手段と、画像データが添付されたメールの受信が可能で、添付された画像データのうちメール本体に組み込まれた代表画像指定のための条件を満たす画像データを代表画像として、その画像データに対するサムネイル画像を作成する手段と、受信メールボックス一覧表示の際に、作成されたサムネイル画像データを同時に表示する手段とを有することを特徴とするメール送受信システム。
【請求項４】
一つまたは複数の画像データを添付してメール送信が可能であり、添付した画像のうち代表画像として指定するための条件を設定する手段と、設定した条件を表わすための情報をメールデータに組み込んでメール送信する手段と、画像データが添付されたメールの受信が可能で、添付画像を持つメールを受信した場合に、代表画像として指定するための条件を設定する手段と、添付された画像データのうち設定された条件を満たす画像データを代表画像として、その画像データに対するサムネイル画像を作成する手段と、受信メールボックス一覧表示の際に、作成されたサムネイル画像データを同時に表示する手段とを有することを特徴とするメール送受信システム。
【請求項５】
メール送信機能において、代表画像の指定を行わないまま、画像が添付されたメールの送信を行おうとした場合には、すべての添付画像に対するサムネイル画像の一覧表示を行い、この画面から代表画像の指定が行われる手段を更に有することを特徴とする請求項１に記載のメール送受信システム。
【請求項６】
メール送信機能において、添付される画像データが一つの場合には、自動的にその画像を代表画像データとして設定する手段を更に有することを特徴とする請求項１に記載のメール送受信システム。
【請求項７】
一つまたは複数の画像データを添付してメール送信が可能であり、添付した画像のうち代表画像を一つまたは複数指定するステップと、指定した代表画像を表わすための情報をメールデータに組み込んでメール送信するステップと、画像データが添付されたメールの受信が可能で、添付された画像データのうち代表画像に指定された画像データに対するサムネイル画像を作成するステップと、受信メールボックス一覧表示の際に、作成されたサムネイル画像データを同時に表示するステップとを有することを特徴とするメール送受信方法。
【請求項８】
一つまたは複数の画像データを添付してメール送信が可能であり、添付した画像のうち代表画像として指定するための条件を設定するステップと、設定した条件を満たす画像データを代表画像として自動的に指定するステップと、指定した代表画像を表わすための情報をメールデータに組み込んでメール送信するステップと、画像データが添付されたメールの受信が可能で、添付された画像データのうち代表画像に指定された画像データに対するサムネイル画像を作成するステップと、受信メールボックス一覧表示の際に、作成されたサムネイル画像データを同時に表示するステップとを有することを特徴とするメール送受信方法。
【請求項９】
一つまたは複数の画像データを添付してメール送信が可能であり、添付した画像のうち代表画像として指定するための条件を設定するステップと、設定した条件を表わすための情報をメールデータに組み込んでメール送信するステップと、画像データが添付されたメールの受信が可能で、添付された画像データのうちメール本体に組み込まれた代表画像指定のための条件を満たす画像データを代表画像として、その画像データに対するサムネイル画像を作成するステップと、受信メールボックス一覧表示の際に、作成されたサムネイル画像データを同時に表示するステップとを有することを特徴とするメール送受信方法。
【請求項１０】
一つまたは複数の画像データを添付してメール送信が可能であり、添付した画像のうち代表画像として指定するための条件を設定するステップと、設定した条件を表わすための情報をメールデータに組み込んでメール送信するステップと、画像データが添付されたメールの受信が可能で、添付画像を持つメールを受信した場合に、代表画像として指定するための条件を設定するステップと、添付された画像データのうち設定された条件を満たす画像データを代表画像として、その画像データに対するサムネイル画像を作成するステップと、受信メールボックス一覧表示の際に、作成されたサムネイル画像データを同時に表示するステップとを有することを特徴とするメール送受信方法。
【請求項１１】
請求項７乃至１０のいずれかに記載のメール送受信方法の各ステップを、コンピュータに実行させるためのコンピュータプログラム。
【発明の詳細な説明】
【技術分野】
【０００１】
本発明は、画像データが添付されたメールの送受信に係るメール送受信システム、メール送受信方法及びコンピュータプログラムに関するものである。
【背景技術】
【０００２】
従来、画像データを添付したメールの送受信においては、送信側は、添付する画像データをひとつまたは複数指定して、指定された画像データをＭＩＭＥ仕様に合わせたエンコードを行ったうえで送信処理を行っていた。また、受信側は、送信された画像データをデコードし、ビューアなどで見るという操作を行っていた。
【特許文献１】特開２０００−１４８６１０号公報
【発明の開示】
【発明が解決しようとする課題】
【０００３】
しかしながら、例えば送信側が複数の画像データを添付して送信した場合には、自分が一番見たい画像、あるいは送信者が一番見せたい画像を見るためには、受信側で受信したすべての画像データを画像ビューアなどで開いた上で確認しなければならず、操作に時間がかかってしまっていた。
【０００４】
本発明は、上記のような問題点を解決するためになされたもので、画像データを添付したメール送信において、複数の画像データが選択された場合に、受信先で代表画像として表示させたい画像データを送信時に指定するための手段を設け、受信側では送信された画像データのうち代表画像として指定された画像データを表示するような制御を行うことで、操作性の良いメール送受信システム、メール送受信方法及びコンピュータプログラムを提供することを目的とするものである。
【課題を解決するための手段】
【０００５】
この発明は下記の構成を備えることにより上記課題を解決できるものである。
【０００６】
（１）一つまたは複数の画像データを添付してメール送信が可能であり、添付した画像のうち代表画像を一つまたは複数指定する手段と、指定した代表画像を表わすための情報をメールデータに組み込んでメール送信する手段と、画像データが添付されたメールの受信が可能で、添付された画像データのうち代表画像に指定された画像データに対するサムネイル画像を作成する手段と、受信メールボックス一覧表示の際に、作成されたサムネイル画像データを同時に表示する手段とを有することを特徴とするメール送受信システム。
【発明の効果】
【０００７】
本発明によれば、複数の画像データを添付したメールの送信において、代表画像データを１枚あるいは複数枚指定して、その情報をメール本文に組み込んでメールの送信を行い、受信側では、メールボックス一覧表示において、指定された代表画像のサムネイルデータを同時に表示することにより、すべての添付画像を画像ビューアアプリケーションなど開かなくても、送信者が一番伝えたい画像データの確認ができるため、操作性の良いメール送受信を提供することができるという効果を生む。
【０００８】
また送信側では、代表画像の指定をオペレーターによりわざわざ行わなくても、あらかじめある条件を設定しておくと、その条件に合った添付画像を代表画像として自動的に指定する処理を行うことで、送信側の操作性がさらに向上するという効果もある。
【発明を実施するための最良の形態】
【０００９】
以下本発明を実施するための最良の形態を、実施例により詳しく説明する。
【実施例１】
【００１０】
第１の実施例では、ＰＨＳなどの公衆回線によるデータ通信が可能な通信モジュールと、画像の撮影ができるカメラモジュールを搭載しており、このカメラモジュールでキャプチャーされた静止画データを添付したメールの送信、あるいは画像が添付されたメールの受信が可能な携帯型情報処理装置を例にあげ説明する。
【００１１】
図１は、本発明の第１の実施例による情報処理装置の概略構成を示すブロック図である。
【００１２】
図において、１０１はＣＰＵ（中央演算処理装置）であり、本情報処理装置の動作はこのＣＰＵ１０１により制御される。ＣＰＵ１０１には、通信モジュール１０２、画像処理部１０４、制御プログラムを記憶しているＲＯＭ（リードオンリーメモリ）１０６、ＲＡＭ（ランダムアクセスメモリ）１０７、データ格納手段１０８、タブレットコントロール部１０９、ＬＣＤコントロール部１１１、シャッターボタン１１３、制御キー群１１４、電源を供給するためのＤＣ／ＤＣコンバーター１１５がそれぞれ接続されている。そして、通信モジュール１０２にはアンテナ１０３、画像処理部１０４にはカメラ部１０５、タブレットコントロール部１０９には手書きタブレット１１０、ＬＣＤコントロール部１１１には表示部（ＴＦＴカラー液晶および駆動部）１１２が接続されている。
【００１３】
また、ＤＣ／ＤＣコンバーター１１５には電池１１６から電源が供給されている。表示部１１２と手書きタブレット１１０は、表示部の上部に透明タブレットが積層された一体構造となっており、表示部に表示されているグラフィックデータを参照しながら、対応する位置をペンタッチすることにより制御操作ができるようになっている。
【００１４】
ＣＰＵ１０１はＲＯＭ１０６内の制御コンピュータプログラムに基づいて各種制御を行う。これらの制御の中には、後述するフローチャートに対応する処理や、通信モジュール１０２によりＰＨＳ公衆回線にアクセスし、メールデータの送受信を実行する処理、画像処理部１０４から出力された撮影画像信号を読み込み、画像撮影時のモニター機能を実現する処理、さらに、シャッターボタン１１３の操作に伴う撮影動作の指示に従って、画像処理部１０４から送られてきた画像データをＪＰＥＧ圧縮処理しファイル形式でデータ格納手段１０８へ格納する処理、および、データ格納手段１０８に格納されているＪＰＥＧファイルを読み出し、伸張処理を行った後、静止画データとしてＬＣＤコントロール部へ転送する処理、さらに、手書きタブレット１１０から入力された情報に従って、メール送受信アプリケーションをはじめとする各種アプリケーションの実行、および、アプリケーション実行中の制御キー群１１４による制御指示により、対応する制御処理の実行、また、各素子への電源の供給をコントロールするための制御信号を、ＤＣ／ＤＣコンバーター１１７に対して出力する処理などが含まれる。
【００１５】
ＲＡＭ１０７は画像用ワークエリア１０７ａ、メール送受信用ワークエリア１０７ｂ、ワークエリア１０７ｃ、ＶＲＡＭ１０７ｄ、一時退避エリア１０７ｅを備えている。画像用ワークエリア１０７ａは、画像処理部１０４より送られてくる撮影画像（ＹＵＶデジタル信号）やデータ格納手段１０８から読み出されたＪＰＥＧ圧縮画像データの一部を一時的に格納するためのテンポラリバッファとして、あるいは、画像圧縮処理、伸張処理のための画像専用ワークエリアとして使用される。
【００１６】
また、メール送受信用ワークエリア１０７ｂは送信メールや受信メールを一時的に格納するためのテンポラリバッファとして使用される。ワークエリア１０７ｃは、各種プログラムのためのワークエリアで、ＣＰＵ１０１で実行される各種アプリケーションプログラムが使用するものである。ＶＲＡＭ１０７ｄは表示部１１２へ表示する表示データを格納するＶＲＡＭとして使用される。また、一時退避エリア１０７ｅは各種データを一時退避させるためのエリアである。
【００１７】
データ格納手段１０８は、画像データ格納エリア１０８ａ、メールデータ格納エリア１０８ｂを備えており、画像データ格納エリア１０８ａは、ＪＰＥＧ圧縮された撮影静止画ファイルの格納領域、また、メールデータ格納エリア１０８ｂは、送受信されたメールを保管しておくための格納領域である。データ格納手段１０８は、第１の実施例ではフラッシュメモリで構成される。
【００１８】
通信モジュール１０２は、ＲＦ部、信号処理部を含んでおり、アンテナ１０３で受けたＰＨＳ公衆回線信号をデジタルデータへ変換してＣＰＵに取り込むものである。
【００１９】
カメラ部１０５は、レンズ郡、ＣＣＤ、ＣＣＤコントロール部などを含んでいる。レンズ群は被写体像を光学的にＣＣＤへ投影するために複数枚のレンズで構成されており、ＣＣＤ（光電変換素子）はレンズ群によって投影された撮影画像をアナログ電気信号に変換するための素子である。また、ＣＣＤコントロール部は、ＣＣＤに転送クロック信号やシャッター信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路などを含んでいる。
【００２０】
また、画像処理部１０４は、カメラ部１０５より出力された１０ビットデジタル信号をガンマ変換、色空間変換、また、ホワイトバランス、ＡＥ、フラッシュ補正等の画像処理を行い、ＹＵＶ（４：２：２）フォーマット、あるいはＹＵＶ（４：２：０）フォーマットの各８ビットデジタル信号出力を行うものである。
【００２１】
タブレットコントロール部１０９は、手書きタブレット１１０の駆動制御とペンタッチにより入力された各種情報をデジタル信号へ変換してＣＰＵ１０１へ転送するための制御を行う。
【００２２】
ＬＣＤコントロール部１１１は、画像処理部１０４から転送されたＹＵＶデジタル画像データ、あるいはデータ格納手段中の画像ファイルに対してＪＰＥＧ伸張を行ったＹＵＶデジタル画像データを受け取り、ＲＧＢデジタル信号へ変換したあと表示部１１２へ出力する処理、あるいは、ＶＲＡＭ１０７ｃに格納されているＲＧＢデジタルデータを同様に表示部１１２へ出力する処理を行う。表示部１１２は画像を表示するための表示器であり、撮影時の電子ビューファインダーとして撮影画像のモニター画像の出力、あるいはキャプチャーされた静止画データの再生表示、さらにアプリケーション動作時のＧＵＩ画面の出力などが行われる。この表示部はＶＧＡ規格（６４０×４８０ドット）ＴＦＴ液晶表示装置である。
【００２３】
シャッターボタン１１３は、静止画撮影のためのキャプチャー指示のボタンであり、このシャッターボタンを押すことにより静止画撮影処理が行われる。
【００２４】
制御キー群１１４は、アプリケーション実行中におけるオペレーションをタブレットからのペン入力に限定せずに、簡単な機能の制御が行えるようにした補助的キーであり、たとえば、カーソルキー、スクロールキー、決定キー、キャンセルキーなどを含んでいる。
【００２５】
電池１１６はリチャーチャブルの２次電池あるいは乾電池である。また、ＤＣ／ＤＣコンバーター１１５は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバーター１１５はＣＰＵ１０１からの制御信号により、各々の電圧の供給の開始、停止を制御できる。
【００２６】
以下、本発明実施例１に示す情報処理装置におけるメール送受信機能の詳細を説明する。
【００２７】
図２は、メール送信処理の詳細を表わすフローチャートである。
【００２８】
図において、まずステップＳ２０１において、メールの新規作成処理を行う。メール新規作成処理では、送り先アドレスの指定とメール本文の作成であり、ファイルの添付は含まれていない。送り先アドレスの指定は、アドレス帳アプリケーションなどからデータを指定して、アドレス帳に登録されているメールアドレスを読み込む方法や、手書きタブレット１１０に対するペン操作による手書き文字入力などによって送り先の入力を行うものである。また、本文の入力は同様にペン操作による手書き文字入力によって行うことができる。
【００２９】
次に、ステップＳ２０２において、メールに画像データの添付を行うかどうかのチェックを行い、添付を行う場合には、ステップＳ２０３において、添付画像データの指定を行う。指定の方法は、カメラモジュールにより撮影され、画像格納エリア１０８ａに格納されている画像データを読み出し、サムネイルデータの一覧表示を行った画面に対してペンタッチによって指定する方法や、画像データのファイル名を直接入力する方法がある。ここでは複数画像を指定することもできる。指定された画像は添付データとしてメールに添付処理が行われる。
【００３０】
次に、ステップＳ２０４において、添付指定された画像データのサムネイル画像の一覧表示を行い、それから、ステップＳ２０５において、指定された画像のうち代表画像としたい画像データ、つまり、メールの受信先で代表画像としてサムネイル表示をさせたい画像データの指定を行う。この代表画像の指定操作もペンタッチによって行うことができる。代表画像が指定されると、指定された代表画像データのファイル名がメール本体に記録される。
【００３１】
それから、ステップＳ２０６において、メールの送信を行うかどうかのチェックを行い、送信が操作されるまでウエイトする。ここで、メール送信の操作がなされた場合には、ステップＳ２０７において、メールの送信処理が実行される。また、ステップＳ２０２において、画像データの添付を行わない場合には、メール添付の処理をスキップし、ステップＳ２０６のメール送信のチェック処理へ進む。
【００３２】
図３は、メール受信処理の詳細を表わすフローチャートである。
【００３３】
図において、ステップＳ３０１では、まずメールの受信動作を実行する。この、メールの受信動作では、通信モジュール１０２からＰＳＨ公衆回線を通じて、メールサーバーにアクセスし、ＰＯＰプロトコルによる新規メールの受信と受信したメールデータを本体内のメール用ワークエリア１０７ｂに取り込む処理が行われる。ここで、ステップＳ３０２において、新規の受信メールがあった場合には、ステップＳ３０３において、メール用ワークエリア１０７ｂに取り込まれた新規受信メールを、メールデータ格納エリア１０８ｂ内の受信メールボックスに追加格納する処理を実行する。
【００３４】
それから、ステップＳ３０４において、メールボックスに新規格納されたメールデータについて、画像の添付があるかどうかをチェックし、添付画像がある場合にはステップＳ３０５において、添付画像データのＭＩＭＥデコード処理、さらにステップＳ３０６において、デコードされた画像データのうち指定されている代表画像データに対して、一覧表示を行うときに表示するためのサムネイル画像データの作成処理を行う。
【００３５】
それから、ステップＳ３０７において、作成されたサムネイル画像データを、受信メールボックス内のメールデータに、メールデータに対する付加情報として登録する処理を行う。そして、ステップＳ３０８において、メールボックスの内容の一覧表示を行う。この一覧表示にはメールの送り主や本文の一部、それから作成されたサムネイル画像データがリスト表示されており、後述で画面の詳細を説明する。ステップＳ３０２において、新規受信メールがなかった場合には、以降の処理をスキップしてステップＳ３０８の一覧リスト表示へ進む。また、ステップＳ３０４において、添付画像データがなかった場合には、以降の添付画像に対する処理をスキップして、ステップＳ３０８へ進む。
【００３６】
次に図４に、送信されるメールデータの構成を表わす図を示す。
【００３７】
図において、４０１はメールヘッダ部であり、送り先アドレス、送り元アドレス、サブジェクトなどのヘッダーデータが記録されている。また、４０２はメール本文であり、送り主が作成したメールの本文がテキストデータとして記録されている。このメールの本文の中に、４０３で示すように、後述の代表画像データを示すファイル名が記述されており、メールの受信アプリケーションは、ここに記録されているファイル名を読み取ることにより、代表画像を認識することができる。４０４、４０５、４０６はそれぞれ添付された画像データであり、ＭＩＭＥエンコードされて記録されている。このうち４０５は代表画像として登録されていることを示しており、４０５の画像ファイル名がメール本文の４０３の領域に記録されている。
【００３８】
図５は、図３、ステップＳ３０８で説明した、メールボックスの一覧表示処理における表示例を表わす図である。
【００３９】
図において、５０１は差出人のメールアドレスの表示領域、５０２は送信日時の表示領域、５０３はメール本文の先頭の一部が表示される領域である。そして５０４は、図３、ステップＳ３０６で説明したように、メールに添付された代表画像に対して作成されたサムネイル画像データを表示するための領域であり、代表添付画像データがない場合には何も表示されない。５０５は代表画像のサムネイルデータの表示を示している。
【００４０】
以上、図１から図５までの説明では、図５に示すように、メール受信側の受信ボックスの一覧表示において、代表画像のサムネイル画像データが同時表示を行うような例について説明したが、これに限定されるものではない。
【００４１】
メール送信側においても、メールアプリケーションでは送信ボックスの一覧表示機能も備わっており、この送信ボックスの表示形態も図５と同様の表示を行うような実施形態も実現可能なのは言うまでもない。この場合は、メールの送信者が添付画像を指定し、代表画像を選択した時点で、代表画像に対するサムネイル画像データの作成を行う。メールの送信を行うと作成したサムネイルデータを送信ボックスに登録し、送信ボックスの一覧表示を行うと、図５と同様の表示形態で画面表示される。
【００４２】
また、第１の実施例では、代表画像として添付した画像の中から１枚だけを選択して代表画像とするような実施形態について説明したが、代表画像を２枚あるいはそれ以上の枚数指定することも可能であり、その場合には、図５で説明したメールボックスの一覧表示において、５０４で示す代表画像のサムネイル画像の表示も複数となるような応用もできることは言うまでもない。
【実施例２】
【００４３】
実施例１では、画像データを添付したメールの送信において、複数の画像データが指定されている場合には、その中から代表画像を送信者によって指定するような実施形態について説明したが、本発明はこれに限定されるものではない。
【００４４】
実施例２では、代表画像が指定されていないメールを受信した場合に、自動的に最初に添付されている画像データを代表画像として、メールボックスに登録するような実施形態について説明する。
【００４５】
図６は、実施例２におけるメール受信処理の詳細を表わすフローチャートである。
【００４６】
図において、ステップＳ６０１からＳ６０５では、図３ステップＳ３０１からＳ３０５と同様に、メールの受信動作の実行、新規の受信メールがあったかどうかのチェック、受信メールを受信メールボックスに追加格納する処理、そして、メールボックスに新規格納されたメールデータについて、画像の添付があるかどうかのチェックし、添付画像がある場合には、添付画像データのＭＩＭＥデコード処理を実行する。
【００４７】
それからステップＳ６０６において、受信したメールに添付されている画像データに対して、代表画像データの指定がなされているかどうかチェックを行い、指定されている場合には、図３、ステップＳ３０６、Ｓ３０７、Ｓ３０８と同様に、指定されている代表画像データに対するサムネイル画像データの作成処理、作成されたサムネイル画像データを、受信メールボックス内に登録する処理、メールボックスの内容の一覧表示処理を行う。また、ステップＳ６０６において、代表画像データの指定が行われていない場合には、ステップＳ６０８において、添付されている画像データのうち先頭の画像データを代表画像とし、サムネイルデータの作成処理を行った後、ステップＳ６０９のメールボックスへの登録処理へ進む。
【００４８】
実施例２では、代表画像データの指定がされていない場合には、図６、ステップＳ６０８で示したように、添付されている画像のうち先頭の画像データを代表画像とするような実施形態を説明したが、代表画像とする条件としては、先頭画像のみではなく、例えば、最後に添付されている画像データ、一番データサイズの大きい画像データ、一番データサイズの小さい画像データなど送信者が自由に条件を設定できるような実施形態も実現できることは言うまでもない。
【００４９】
また、代表画像データの条件設定はメールの受信側が行うような実施形態について説明したが、これに限らず、メールの送信側の方で条件を設定することにより、代表画像データの指定を自動的に行うような処理も実現可能である。この場合、送信者は送信メールを作成する前、あるいは送信操作を行う前に、あらかじめ代表画像とする条件を設定しておき、メールに添付する画像の選択が終了した時点で、設定した条件に合致した画像データが自動的に代表画像として選択され、送信されるような処理の流れとなる。
【００５０】
さらに、送信側で代表画像とする条件を設定し、メール本文にその条件を組み込んだ上でメール送信を行い、受信側で、メールに添付された画像のうち、組み込まれている条件に合致した画像データを代表画像として登録するような処理にも応用できるのはいうまでもない。
【実施例３】
【００５１】
次に実施例３では、送信者が代表画像の選択を行わずに、複数の画像を添付したメールの送信を行おうとした場合には、自動的に添付した画像のサムネイル画像一覧を表示し、代表画像の選択を促すような制御手順を行う実施形態について説明する。
【００５２】
図７は、本実施例におけるメール送信処理の詳細を表わすフローチャートである。
【００５３】
図において、ステップＳ７０１、Ｓ７０２、Ｓ７０３は、図２ステップＳ２０１、Ｓ２０２、Ｓ２０３と同様に、メールの新規作成処理、メールに画像データの添付を行うかどうかのチェック、添付を行う場合に添付画像データの指定処理を順次実行していく。ここで、オペレーターによる操作を待つ処理が行われ、ステップＳ７０４では、メールの送信の操作がされたかどうかのチェック、メール送信でない場合はステップＳ７０８において、代表画像の指定を行う操作かどうかのチェックを順次実行する。
【００５４】
ここで、送信操作が行われた場合には、ステップＳ７０５において、添付画像データが複数存在するかどうかをチェックし、前述ステップＳ７０３の処理で、複数の画像の添付が指示されている場合には、ステップＳ７０６において、代表画像がすでに指定されているかどうかのチェックを行う。ここで、代表画像が指定されている場合は、ステップＳ７０７のメール送信処理の実行へ進む。
【００５５】
また、ステップＳ７０５において、添付画像が１枚だけ、あるいは画像の添付が指定されていない場合には、ステップＳ７０６の代表画像指定チェックの処理をスキップし、ステップＳ７０７のメール送信処理へ進む。また、Ｓ７０７へ進む際に、代表画像が存在しない、あるいは、１枚しか添付されていないので、それを代表画像とすることを知らせるようなメッセージの表示を行うこともできる。
【００５６】
一方、ステップＳ７０８において、代表画像の指定操作が行われた場合は、ステップＳ７０９において、添付指定された画像データのサムネイル画像の一覧表示を行い、それから、ステップＳ７１０において、指定された画像のうち代表画像としたい画像データ、つまり、メールの受信先で代表画像としてサムネイル表示をさせたい画像データの指定を行う。代表画像が指定されると、指定された代表画像データのファイル名がメール本体に記録される。
【００５７】
それから、再びステップＳ７０４に戻り、オペレーターの操作によりメールの送信が指示されたかどうかのチェックを行う。また、ステップＳ７０６において、代表画像の指定がまだ行われていない場合には、自動的にステップＳ７０９の添付画像のサムネイル一覧表示の実行に進み、代表画像の選択を促す処理手順となっている。
【００５８】
以上説明したように、本発明によれば、複数の画像データを添付したメールの送信において、代表画像データを１枚あるいは複数枚指定して、その情報をメール本文に組み込んでメールの送信を行い、受信側では、メールボックス一覧表示において、指定された代表画像のサムネイルデータを同時に表示することにより、すべての添付画像を画像ビューアアプリケーションなど開かなくても、送信者が一番伝えたい画像データの確認ができるため、操作性の良いメール送受信を提供することができるという効果を生む。
【００５９】
また送信側では、代表画像の指定をオペレーターによりわざわざ行わなくても、あらかじめある条件を設定しておくと、その条件に合った添付画像を代表画像として自動的に指定する処理を行うことで、送信側の操作性がさらに向上するという効果もある。
【図面の簡単な説明】
【００６０】
【図１】本発明の第１の実施例による、情報処理装置の概略構成を示すブロック図
【図２】本発明の第１の実施例による、ＣＰＵが行うメール送信処理の制御手順を示すフローチャート
【図３】本発明の第１の実施例による、ＣＰＵが行うメール受信処理の制御手順を示すフローチャート
【図４】本発明の第１の実施例による、送信されるメールデータの構成を表わす図
【図５】本発明の第１の実施例による、メールボックスの一覧表示処理における表示例を表わす図
【図６】本発明の第２の実施例による、ＣＰＵが行うメール受信処理の制御手順を示すフローチャート
【図７】本発明の第３の実施例による、ＣＰＵが行うメール送信処理の制御手順を示すフローチャート
【符号の説明】
【００６１】
４０１  メールヘッダ
４０２  メール本文
４０３  代表画像ＮＯ
４０４  画像データ１
４０５  画像データ２
４０６  画像データ３
【図１】
2006277236.tif 000003
【図２】
2006277236.tif 000004
【図３】
2006277236.tif 000005
【図５】
2006277236.tif 000006
【図６】
2006277236.tif 000007
【図７】
2006277236.tif 000008
【図４】
2006277236.tif 000009